(57)【特許請求の範囲】
【請求項１】
基板と、
前記基板上にパターン状に形成され、短辺および長辺を有する長方形状の開口部を備える遮光部と、
前記開口部に形成された３色の画素部着色部、および、前記遮光部上に形成され、前記３色の画素部着色部と同色の３色の非画素部着色部を有し、前記開口部の長辺方向に隣接する前記画素部着色部の色が同色である着色層と、
表示領域内の前記遮光部上に形成され、３色の前記非画素部着色部が積層された複数の表示領域内積層柱、および、表示領域外の前記遮光部上に形成され、２色の前記非画素部着色部が積層された複数の表示領域外積層柱を有する積層柱と、
前記着色層および前記積層柱を覆うように形成された透明保護層と
を有する横電界液晶駆動方式用カラーフィルタであって、
前記表示領域内積層柱が、長辺方向に隣接する前記開口部に挟まれる積層柱形成領域に形成され、
前記表示領域内積層柱を構成する１層目の前記非画素部着色部および２層目の前記非画素部着色部の前記積層柱形成領域における平面視面積が、前記積層柱形成領域の平面視面積の２０％以上であり、
前記表示領域外積層柱は、液晶表示装置とされた際に必要とされるセルギャップを形成できる高さを有するものであることを特徴とする横電界液晶駆動方式用カラーフィルタ。
【請求項２】
前記表示領域外積層柱を構成する前記非画素部着色部のうち、１層目の前記非画素部着色部が、前記非画素部着色部と同色の前記画素部着色部と非連続的に形成されていることを特徴とする請求項１に記載の横電界液晶駆動方式用カラーフィルタ。
【請求項３】
前記表示領域内積層柱を構成する前記非画素部着色部のうち、１層目の前記非画素部着色部および２層目の前記非画素部着色部の少なくとも一方が、前記積層柱形成領域にて前記非画素部着色部と同色の前記画素部着色部と連続的に形成されていることを特徴とする請求項１または請求項２に記載の横電界液晶駆動方式用カラーフィルタ。
【請求項４】
前記表示領域内積層柱を構成する前記非画素部着色部のうち、１層目の前記非画素部着色部および２層目の前記非画素部着色部の少なくとも一方が、前記積層柱形成領域、および、前記積層柱形成領域の前記開口部の短辺方向に隣接する隣接領域のうち少なくとも片側の隣接領域に帯状に形成されていることを特徴とする請求項１から請求項３までのいずれかの請求項に記載の横電界液晶駆動方式用カラーフィルタ。
【発明の詳細な説明】
【技術分野】
【０００１】
本発明は、スペーサとして複数色の着色部が積層された積層柱を有する横電界液晶駆動方式用カラーフィルタに関するものである。
【背景技術】
【０００２】
一般に、液晶表示装置の動作モードには、対向する一対の透明基材に平行に配向した液晶分子を透明基材に対して垂直な方向に電界をかけ駆動するツイステッド・ネマティック（Twisted Nematic:ＴＮ）方式や、透明基材に対して平行な方向に電界をかける横電界駆動（In Plain Switching：ＩＰＳ）方式等がある。このような液晶表示装置の動作モードの中でも、近年、液晶ディスプレイとした際に視野角が広いといった利点から液晶表示装置の動作モードとして、ＩＰＳ方式が普及してきている。
【０００３】
一般に、ＩＰＳ方式用カラーフィルタは、基板上に遮光部、着色層、透明保護層およびスペーサが形成されたものである。このＩＰＳ方式用カラーフィルタでは、着色層の表面を平坦化するため、かつ、着色層から液晶層への汚染物質の溶出を防ぐため、通常、着色層上に透明保護層（オーバーコート層とも称する。）が形成される。
【０００４】
また、スペーサは、色むらやコントラストむらといった表示むらを防止し、均一な表示、高速応答性、高コントラスト比、広視野角等の良好な表示性能を液晶表示装置に付与することを目的として、セルギャップを一定かつ均一に維持するために設けられるものである。
【０００５】
従来、スペーサの形成方法としては、ガラス、アルミナ又はプラスチック等からなる一定サイズの球状又は棒状粒子を多数散在させる方法が用いられてきたが、スペーサとして粒子を散在させる方法では、スペーサの分布が偏り易い等の種々の問題点があった。
これら粒子状スペーサの問題点を解消する方法として、フォトレジストを用いてフォトリソグラフィー法によりフォトスペーサを形成する方法が開示されている。
また、スペーサとして、複数色の着色部が積層された積層柱を用いる方法も開示されている（例えば特許文献１および特許文献２参照）。
【０００６】
近年では、さらに表示品位を向上すべく、スペーサの配置や形成方法に関して種々の提案がなされている。特に近年、液晶表示装置の大型化に伴い、セルギャップの制御が重要となっている。液晶表示装置のサイズが大型になるほど、たわみや反りが生じやすくなるからである。
【０００７】
より均一なセルギャップを実現するためには、表示領域内だけでなく、表示領域の周囲の表示領域外にもスペーサを形成することが好ましい。しかしながら、表示領域内と表示領域外とでは層構成が異なっているので、表示領域内および表示領域外のそれぞれについてスペーサの高さを最適に制御することは難しい。
【０００８】
スペーサの高さを制御する方法としては、例えば特許文献２に、着色層が積層された積層柱上にフォトスペーサを形成する場合に、積層柱を構成する着色層の面積を調整することでスペーサの高さを調整する方法が開示されている。
【０００９】
【特許文献１】特開平５−１９６９４６号公報
【特許文献２】特開２００６−２３７３３号公報
【発明の開示】
【発明が解決しようとする課題】
【００１０】
ここで、カラーフィルタにおいては、基板上にマトリックス状に遮光部が形成される。この遮光部は、表示領域内においては画素部の開口率を低下させないために、その幅が狭く形成され、一方、表示領域外においてはバックライト等の光源からの光を効果的に遮蔽するために、その幅が広く形成されるのが一般的である。
【００１１】
このような幅の異なる遮光部上に着色層を積層して積層柱を形成する場合、幅の狭い遮光部上の着色層と幅の広い遮光部上の着色層とで、膜厚に差が生じる。すなわち、表示領域内と表示領域外とで、遮光部上の着色層の膜厚に差が生じる。これは、表示領域内に位置する遮光部は幅が狭く形成されているために、その遮光部上に形成される着色層の膜厚が薄くなる傾向にあるからである。これに対して、表示領域外に設けられている遮光部は十分な幅を有して形成されているために、表示領域外の遮光部上の着色層の膜厚は、表示領域内の遮光部上の着色層の膜厚と比較して厚くなる傾向にある。そのため、着色層を積層して積層柱を形成すると、着色層自体の膜厚の差により、遮光部の表面から積層柱の頂部までの高さは、表示領域外の積層柱が表示領域内の積層柱よりも高くなる。
【００１２】
表示領域外の積層柱のほうが表示領域内の積層柱よりも高いと、セルギャップに影響を及ぼし、特にＩＰＳ方式の液晶表示装置では、表示特性に大きな影響を与える。また、表示領域外の積層柱が表示領域内の積層柱よりも高いと、液晶表示装置に用いた場合に基板の周辺部分において光漏れが発生し、これにより画面周辺が明るくなるといった問題が生じる。
【００１３】
上記特許文献２に記載の方法のように、積層柱を構成する着色層の面積を調整することにより、表示領域外のスペーサの高さを低くすることは可能である。しかしながら、積層柱を構成する着色層の面積を小さくすることによってスペーサの高さを低くすると、スペーサの耐荷重特性が低下するという問題がある。
【００１４】
また、着色層が積層された積層柱では、積層柱を構成する着色層の厚みを十分に厚いものとすることができないため、十分な高さを有するスペーサとすることができないといった問題があった。
さらに、積層柱をＩＰＳ方式用カラーフィルタに適用する場合、積層柱を覆うように透明保護層が形成されることになる。透明保護層の形成方法としては、透明保護層用感光性樹脂組成物を塗布する方法が一般的である。ここで、透明保護層用感光性樹脂組成物を塗布した際に、透明保護層用感光性樹脂組成物が、積層柱の頂部から着色層上へ流れ落ちるレベリングが生じる。このため、積層柱上に形成される透明保護層の厚みが薄く、着色層上に形成される透明保護層の厚みが厚いものとなる。その結果、最終的に形成されるスペーサ高さ、すなわち着色層上に形成される透明保護層の表面から積層柱上に形成される透明保護層の表面までの高さを、十分な高さとすることが困難であるといった問題があった。
【００１５】
本発明は、上記問題点に鑑みてなされたものであり、スペーサ高さが高く、液晶表示装置に用いた際にセルギャップの均一化が可能な、横電界液晶駆動方式用カラーフィルタを提供することを主目的とする。
【課題を解決するための手段】
【００１６】
上記課題を解決するために、本発明は、基板と、上記基板上にパターン状に形成され、短辺および長辺を有する長方形状の開口部を備える遮光部と、上記開口部に形成された３色の画素部着色部、および、上記遮光部上に形成され、上記３色の画素部着色部と同色の３色の非画素部着色部を有し、上記開口部の長辺方向に隣接する上記画素部着色部の色が同色である着色層と、表示領域内の上記遮光部上に形成され、３色の上記非画素部着色部が積層された複数の表示領域内積層柱、および、表示領域外の上記遮光部上に形成され、２色の上記非画素部着色部が積層された複数の表示領域外積層柱を有する積層柱と、上記着色層および上記積層柱を覆うように形成された透明保護層とを有する横電界液晶駆動方式用カラーフィルタであって、上記表示領域内積層柱が、長辺方向に隣接する上記開口部に挟まれる積層柱形成領域に形成され、上記表示領域内積層柱を構成する１層目の上記非画素部着色部および２層目の上記非画素部着色部の上記積層柱形成領域における平面視面積が、上記積層柱形成領域の平面視面積の２０％以上であることを特徴とする横電界液晶駆動方式用カラーフィルタを提供する。
【００１７】
本発明によれば、表示領域内積層柱が３色の非画素部着色部が積層されたものであり、表示領域外積層柱が２色の非画素部着色部が積層されたものであり、表示領域内積層柱と表示領域外積層柱とで非画素部着色部の積層数が異なるので、表示領域外積層柱の高さを表示領域内積層柱の高さよりも低くすることができる。また、本発明によれば、表示領域内積層柱を構成する１層目の非画素部着色部および２層目の非画素部着色部の積層柱形成領域における平面視面積が、所定の範囲であることにより、表示領域内積層柱を構成する２層目の非画素部着色部および３層目の非画素部着色部の厚みを十分に厚いものとすることができ、表示領域内積層柱の高さを比較的高くすることができる。このため、積層柱を覆うように透明保護層が形成されていても、スペーサ高さを十分に大きなものとすることができる。したがって、本発明の横電界液晶駆動方式用カラーフィルタを液晶表示装置に用いた際には、セルギャップが均一であり、表示品位に優れたものとすることができる。
【００１８】
上記発明においては、上記表示領域外積層柱を構成する上記非画素部着色部のうち、１層目の上記非画素部着色部が、上記非画素部着色部と同色の上記画素部着色部と非連続的に形成されていることが好ましい。このような構成とすることにより、表示領域外積層柱の高さを表示領域内積層柱の高さに対してより低くすることができるからである。
【００１９】
また本発明においては、上記表示領域内積層柱を構成する上記非画素部着色部のうち、１層目の上記非画素部着色部および２層目の上記非画素部着色部の少なくとも一方が、上記積層柱形成領域にて上記非画素部着色部と同色の上記画素部着色部と連続的に形成されていることが好ましい。このような構成とすることにより、積層柱形成領域での１層目の非画素部着色部または２層目の非画素部着色部の平面視面積を広いものとすることが容易となるからである。
【００２０】
さらに本発明においては、上記表示領域内積層柱を構成する上記非画素部着色部のうち、１層目の上記非画素部着色部および２層目の上記非画素部着色部の少なくとも一方が、上記積層柱形成領域、および、上記積層柱形成領域の上記開口部の短辺方向に隣接する隣接領域のうち少なくとも片側の隣接領域に帯状に形成されていることが好ましい。このような構成とすることにより、表示領域内積層柱の高さをより高いものとすることができるからである。
【発明の効果】
【００２１】
本発明においては、スペーサ高さが高く、液晶表示装置に用いた際にセルギャップが均一であり、表示品位に優れたものとすることができる横電界液晶駆動方式用カラーフィルタを提供することが可能である。
【発明を実施するための最良の形態】
【００２２】
以下、本発明の横電界液晶駆動方式用カラーフィルタについて詳細に説明する。
本発明の横電界液晶駆動方式用カラーフィルタは、基板と、上記基板上にパターン状に形成され、短辺および長辺を有する長方形状の開口部を備える遮光部と、上記開口部に形成された３色の画素部着色部、および、上記遮光部上に形成され、上記３色の画素部着色部と同色の３色の非画素部着色部を有し、上記開口部の長辺方向に隣接する上記画素部着色部の色が同色である着色層と、表示領域内の上記遮光部上に形成され、３色の上記非画素部着色部が積層された複数の表示領域内積層柱、および、表示領域外の上記遮光部上に形成され、２色の上記非画素部着色部が積層された複数の表示領域外積層柱を有する積層柱と、上記着色層および上記積層柱を覆うように形成された透明保護層とを有する横電界液晶駆動方式用カラーフィルタであって、上記表示領域内積層柱が、長辺方向に隣接する上記開口部に挟まれる積層柱形成領域に形成され、上記表示領域内積層柱を構成する１層目の上記非画素部着色部および２層目の上記非画素部着色部の上記積層柱形成領域における平面視面積が、上記積層柱形成領域の平面視面積の２０％以上であることを特徴とするものである。
【００２３】
本発明の横電界液晶駆動方式用カラーフィルタについて図面を参照しながら説明する。図１は、本発明の横電界液晶駆動方式用カラーフィルタの概略平面図である。また、図２は図１におけるＡ−Ａ線断面図であり、図３は図１におけるＢ−Ｂ線断面図である。なお、図１において、透明保護層は省略されている。
【００２４】
図１〜図３に例示するように、横電界液晶駆動方式用カラーフィルタ１は、基板２と、基板２上に形成され、短辺および長辺を有する長方形状の開口部１２を備える遮光部（３ａ，３ｂ，３ｃ）と、開口部１２に形成された赤、緑および青の３色の画素部着色部（４Ｒ，４Ｇ，４Ｂ）および遮光部（３ａ，３ｂ，３ｃ）上に形成された赤、緑および青の３色の非画素部着色部（５Ｒ，５Ｇ，５Ｂ）を有し、開口部１２の長辺方向ｍに隣接する画素部着色部（４Ｒ，４Ｇ，４Ｂ）の色が同色である着色層と、表示領域１０内の遮光部（３ａ）上に形成され、赤、緑および青の３色の非画素部着色部（５Ｒ，５Ｇ，５Ｂ）が積層された表示領域内積層柱６、および、表示領域１０外（非表示領域１１）の遮光部（３ｂ，３ｃ）上に形成され、赤および緑の２色の非画素部着色部（５Ｒ，５Ｇ）が積層された表示領域外積層柱７ａ，７ｂを有する積層柱と、着色層および積層柱を覆うように形成された透明保護層８とを有するものである。
【００２５】
表示領域内積層柱６は３色の非画素部着色部（５Ｒ，５Ｇ，５Ｂ）が積層されたものであり、表示領域外積層柱７ａ，７ｂは２色の非画素部着色部（５Ｒ，５Ｇ）が積層されたものであり、表示領域内積層柱６と表示領域外積層柱７ａ，７ｂとで非画素部着色部の積層数が異なっている。そして、表示領域内外積層柱７ａ，７ｂが形成されている部位のスペーサ高さｈ２、ｈ３が、表示領域内積層柱６が形成されている部位のスペーサ高さｈ１よりも低くなっている。
【００２６】
また、表示領域内積層柱６は、長辺方向ｍに隣接する開口部１２に挟まれる積層柱形成領域１３に形成されている。表示領域内積層柱６を構成する１層目の赤色非画素部着色部５Ｒおよび２層目の青色非画素部着色部５Ｂの積層柱形成領域１３における平面視面積は、積層柱形成領域１３の平面視面積に対して、所定の範囲となっている。さらに、表示領域内積層柱６を構成する１層目の赤色非画素部着色部５Ｒは、積層柱形成領域１３にて、同色の赤色画素部着色部４Ｒと連続的に形成されている。
一方、表示領域外積層柱７ａ，７ｂを構成する１層目の赤色非画素部着色部５Ｒは同色の赤色画素部着色部４Ｒと非連続的に形成されている。
【００２７】
本発明によれば、表示領域外の遮光部上に形成される表示領域外積層柱を構成する非画素部着色部の積層数を、表示領域内の遮光部上に形成される表示領域内積層柱を構成する非画素部着色部の積層数よりも少なくすることにより、表示領域外積層柱の高さを、表示領域内積層柱の高さよりも低くすることができる。これにより、遮光部の幅の差によって生じる積層柱の高さの差に起因する影響を回避することができる。
すなわち、本発明においては、表示領域内積層柱および表示領域外積層柱の高さが調整されているため、液晶表示装置に用いた際に光源からの光が周辺部分から漏れるおそれがなく、表示画面の周辺が不自然に明るくなるのを回避することができる。
さらには、２枚の基板間に液晶を注入し液晶層を形成する際に効率良く液晶を注入することができる。
【００２８】
また、本発明においては、上述したように、積層柱を構成する非画素部着色部の積層数を調整することによりスペーサ高さを調整することが可能であり、従来のように積層柱を構成する非画素部着色部の平面視面積を調整してスペーサ高さを調整するものではないので、スペーサ高さを調整するために積層柱を構成する非画素部着色部の平面視面積が制限を受けることがない。そのため、表示領域外積層柱を構成する非画素部着色部の平面視面積を、表示領域内積層柱を構成する非画素部着色部の平面視面積よりも大きくすることができる。これにより、図２に例示するように、表示領域外積層柱７ａ，７ｂが形成されている部位の透明保護層８の上底面積Ｓ２，Ｓ３を、表示領域内積層柱６が形成されている部位の透明保護層８の上底面積Ｓ１よりも大きくすることが可能である。その結果、表示領域外積層柱の耐荷重特性を向上させることができる。したがって、本発明の横電界液晶駆動方式用カラーフィルタを液晶表示装置に用いた際には、セルギャップ均一性および耐荷重特性の両立が可能となる。
【００２９】
さらに、本発明によれば、表示領域内積層柱を構成する１層目の非画素部着色部および２層目の非画素部着色部の積層柱形成領域における平面視面積が、積層柱形成領域の平面視面積に対して、所定の範囲であることにより、表示領域内積層柱を構成する２層目の非画素部着色部および３層目の非画素部着色部の厚みを十分に厚いものとすることができる。このため、表示領域内積層柱の高さを高いものとすることができる。したがって、積層柱を覆うように透明保護層が形成されていても、スペーサ高さ、すなわち、遮光部上に直に形成された透明保護層の表面から積層柱上に形成された透明保護層の頂部までの高さを、十分に大きなものとすることができる。その結果、液晶表示装置に用いた際にセルギャップが均一であり、表示品位に優れたものとすることができる。
【００３０】
さらに、表示領域内積層柱が形成される積層柱形成領域が、長辺方向に隣接する開口部に挟まれる領域であることにより、表示領域内積層柱を構成する１層目の非画素部着色部または２層目の非画素部着色部を、これらの非画素部着色部と同色の画素部着色部と連続的に形成されるものとすることができる。このため、表示領域内積層柱を構成する１層目の非画素部着色部および２層目の非画素部着色部の積層柱形成領域における平面視面積を広いものとすることができる。
【００３１】
ここで、表示領域内積層柱を構成する１層目の非画素部着色部および２層目の非画素部着色部の積層柱形成領域における平面視面積が、積層柱形成領域の平面視面積に対して、所定の範囲であることにより、上述した効果を発揮する理由は以下のとおりである。
【００３２】
すなわち、従来のカラーフィルタにおいては、図１６に例示するように、積層柱１０６を構成する１層目の非画素部着色部１１６および２層目の非画素部着色部１２６の積層柱形成領域１０５における平面視面積が、積層柱形成領域１０５の平面視面積に対して、所定の範囲より狭く形成される。なお、図１６には、基板（図示なし）上に、開口部１０２を備える遮光部３と、開口部１０２に形成された赤色画素部着色部１０４Ｒ、青色画素部着色部１０４Ｂおよび緑色画素部着色部１０４Ｇと、積層柱形成領域１０５に形成され、３色の非画素部着色部（１１６、１２６、１３６）が積層された積層柱１０６とを有するカラーフィルタ１００が示されている。
【００３３】
従来のカラーフィルタにおける積層柱の形成方法としては、非画素部着色部の形成に用いられる各色の着色部用感光性樹脂組成物を塗布する方法が用いられる。具体的には、図１７に例示するように、平面視面積が所定範囲より狭い１層目の非画素部着色部１１６を形成し（図１７(a)）、次いで、２色目の着色部用感光性樹脂組成物を塗布し、着色部用感光性樹脂組成物の塗膜１１４Ｂを形成する（図１７(b)）。図１７(b)に示すように、２色目の着色部用感光性樹脂組成物を塗布した直後には、１層目の非画素部着色部１１６および遮光部１０３上に比較的均一な厚みで着色部用感光性樹脂組成物の塗膜１１４Ｂが形成される。しかしながら、１層目の非画素部着色部１１６上の着色部用感光性樹脂組成物の塗膜１１４Ｂは、徐々に低い位置へと流れ落ちるレベリングを生じる(図１７(c))。このため、露光および現像を行うことにより最終的に形成される２層目の非画素部着色部１２６の厚みは薄いものとなる(図１７(d))。
したがって、図１７(e)に例示するように、２層目の非画素部着色部１２６上に、同様の方法により３層目の非画素部着色部１３６を形成し、積層柱１０６を形成した場合には、３層目の非画素部着色部１３６の厚みも薄いものとなり、積層柱１０６の高さが低いものとなる。
【００３４】
これに対し、本発明によれば、表示領域内積層柱を構成する１層目の非画素部着色部および２層目の非画素部着色部の積層柱形成領域における平面視面積が、積層柱形成領域の平面視面積に対し、所定の範囲であることにより、表示領域内積層柱を構成する２層目の非画素部着色部および３層目の非画素部着色部を形成する際に、表示領域内積層柱を構成する２層目の非画素部着色部および３層目の非画素部着色部の形成に用いられる２色目および３色目の着色部用感光性樹脂組成物のレベリングを抑制することができる。したがって、表示領域内積層柱の高さを高いものとすることができるのである。このため、積層柱を覆うように透明保護層が形成されていても、スペーサ高さを高いものとすることができるのである。
【００３５】
また、積層柱が遮光部上に形成されているので、積層柱による表示品質の低下を防ぐことができる。したがって、本発明の横電界液晶駆動方式用カラーフィルタを液晶表示装置に用いた際には、着色層の輝度低下等が生じることが少ないものとすることができる。
【００３６】
さらに、本発明における積層柱は非画素部着色部が積層されたものであるので、画素部着色部の形成時に同時に積層柱を形成することができる。したがって、積層柱を形成するために、別途、積層柱形成工程を行う必要がなく、簡便なプロセスでスペーサを形成することができる。よって、横電界液晶駆動方式用カラーフィルタの低コスト化を図ることができる。
【００３７】
なお、「画素部着色部」とは、基板上の遮光部の開口部に形成されるものであり、基板上の遮光部の開口部に配置された着色部の部分をいう。また、「非画素部着色部」とは、遮光部上に形成されるものであり、遮光部上に配置された着色部の部分をいう。３色の画素部着色部の色と３色の非画素部着色部の色とはそれぞれ同色である。
【００３８】
また、「開口部の長辺方向に隣接する画素部着色部の色が同色である」とは、開口部の長辺方向に、同色の画素部着色部が隣接するように配列され、開口部の短辺方向に、異色の画素部着色部が隣接するように配列されていることをいう。例えば図１においては、開口部の長辺方向ｍに、赤色画素部着色部４Ｒが隣接し、緑色画素部着色部４Ｇが隣接し、青色画素部着色部４Ｂが隣接するように、各画素部着色部が配列されている。また、開口部の短辺方向ｎに、青色画素部着色部４Ｂおよび赤色画素部着色部４Ｒが隣接し、赤色画素部着色部４Ｒおよび緑色画素部着色部４Ｇが隣接し、図示しないが緑色画素部着色部４Ｇおよび青色画素部着色部４Ｂが隣接するように、各画素部着色部が青、赤、緑の順に繰り返し配列されている。
【００３９】
「表示領域」とは、図１〜図３に例示するような、画素部着色部（４Ｒ、４Ｇ、４Ｂ）とこれらの画素部着色部（４Ｒ、４Ｇ、４Ｂ）間に形成された遮光部（画素間遮光部３ａ）とで画定される領域（表示領域１０）をいう。「表示領域内」とは、この表示領域１０の内側をいう。また、「表示領域外」とは、この表示領域１０の外側をいう。画素部着色部（４Ｒ、４Ｇ、４Ｂ）の外周を囲むように形成された遮光部（額縁遮光部３ｂ）が設けられている領域は、表示領域１０ではなく、表示領域外であり、非表示領域１１とする。
また、「表示領域内の遮光部」とは、図１〜図３に例示するような、画素間遮光部３ａをいい、「表示領域外の遮光部」とは、図１〜図３に例示するような、額縁遮光部３ｂや外周遮光部３ｃをいう。
本発明において、表示領域内積層柱は、表示領域内の遮光部、すなわち画素間遮光部３ａ上に形成される。一方、表示領域外積層柱は、表示領域外の遮光部、すなわち額縁遮光部３ｂや外周遮光部３ｃの上に形成される。
【００４０】
「積層柱形成領域」とは、長辺方向に隣接する開口部に挟まれる領域であり、かつ、表示領域内積層柱が形成される領域である。また、「長辺方向に隣接する開口部に挟まれる領域」とは、長辺方向に隣接する開口部にのみ挟まれ、開口部の短辺に隣接する領域であり、をいう。例えば図１においては、積層柱形成領域１３は、長辺方向ｍに隣接する開口部１２にのみ挟まれ、開口部１２の短辺に隣接する領域であり、表示領域内積層柱６が形成される領域となる。
また、「表示領域内積層柱が、積層柱形成領域に形成されている」とは、表示領域内積層柱を構成する１層目〜３層目の非画素部着色部が、平面視上、積層柱形成領域で重なるように形成されることをいう。
【００４１】
「平面視面積」とは、積層柱を構成する各非画素部着色部を、基板の直上方向から正視した場合の面積をいう。
【００４２】
以下、本発明の横電界液晶駆動方式用カラーフィルタの各構成について説明する。
【００４３】
１．積層柱
本発明における積層柱は、表示領域内の遮光部上に形成され、３色の非画素部着色部が積層された複数の表示領域内積層柱と、表示領域外の遮光部上に形成され、２色の非画素部着色部が積層された複数の表示領域外積層柱とを有するものである。以下、表示領域内積層柱および表示領域外積層柱に分けて説明する。
【００４４】
（１）表示領域内積層柱
本発明における表示領域内積層柱は、表示領域内の遮光部上に複数形成され、３色の非画素部着色部が積層されたものである。また、表示領域内積層柱は、積層柱形成領域に形成されるものである。さらに、表示領域内積層柱を構成する１層目の非画素部着色部および２層目の非画素部着色部の積層柱形成領域における平面視面積は、積層柱形成領域の平面視面積に対して、所定の範囲となっている。
【００４５】
表示領域内積層柱を構成する非画素部着色部は、後述する着色層を構成するものである。ここで、着色層は、各着色部用感光性樹脂組成物を塗布し、露光および現像することにより形成される。このため、各画素部着色部が赤、青および緑の順番で形成される場合、すなわち、最初に塗工される１色目の着色部用感光性樹脂組成物が赤であり、次に塗工される２色目の着色部用感光性樹脂組成物が青であり、最後に塗工される３色目の着色部用感光性樹脂組成物が緑である場合には、１層目の非画素部着色部が赤、２層目の非画素部着色部が青、３層目の非画素部着色部が緑となる。
したがって、１層目〜３層目の非画素部着色部の色はそれぞれ異なり、開口部に形成される各色の画素部着色部の形成順により決定される。
【００４６】
１層目の非画素部着色部の積層柱形成領域における平面視面積は、積層柱形成領域の平面視面積の２０％以上であり、中でも３０％以上であることが好ましく、特に４０％以上であることが好ましい。また、２層目の非画素部着色部の積層柱形成領域における平面視面積も、積層柱形成領域の平面視面積の２０％以上であり、中でも３０％以上であることが好ましく、特に４０％以上であることが好ましい。上述の平面視面積が上述の範囲内であることにより、２層目の非画素部着色部および３層目の非画素部着色部の厚みを十分に厚いものとすることができ、表示領域内積層柱の高さを高いものとすることができるからである。一方、１層目の非画素部着色部または２層目の非画素部着色部の積層柱形成領域における平面視面積の上限としては、好ましくは７０％以下、より好ましくは６０％以下とされる。
【００４７】
表示領域内積層柱を構成する１層目の非画素部着色部、２層目の非画素部着色部および３層目の非画素部着色部の積層柱形成領域における平面視面積の大きさ順としては、表示領域内積層柱を所望の高さおよび所望の強度とすることができるものであればよい。例えば、積層柱形成領域における平面視面積は、１層目の非画素部着色部＜２層目の非画素部着色部＜３層目の非画素部着色部の順で大きくてもよく、３層目の非画素部着色部＜２層目の非画素部着色部＜１層目の非画素部着色部の順で大きくてもよく、３層目の非画素部着色部＜１層目の非画素部着色部＜２層目の非画素部着色部の順で大きくてもよい。
【００４８】
１層目の非画素部着色部および２層目の非画素部着色部の形成位置としては、１層目の非画素部着色部および２層目の非画素部着色部の積層柱形成領域における平面視面積が、積層柱形成領域の平面視面積に対して所定の範囲となり、３層目の非画素部着色部を形成する際に塗工される３色目の着色部用感光性樹脂組成物のレベリングを抑制することができれば、特に限定されるものではない。
【００４９】
このような１層目の非画素部着色部および２層目の非画素部着色部の形成位置としては、１層目の非画素部着色部および２層目の非画素部着色部が、積層柱形成領域内のみに形成されていてもよい。例えば図１〜図３においては、表示領域内積層柱６を構成する１層目の赤色非画素部着色部５Ｒおよび２層目の青色非画素部着色部５Ｂが、積層柱形成領域１３内のみに形成されている。
【００５０】
また、１層目の非画素部着色部および２層目の非画素部着色部の形成位置としては、１層目の非画素部着色部および２層目の非画素部着色部が、積層柱形成領域と、この積層柱形成領域の開口部の短辺方向に隣接する隣接領域のうち少なくとも片側の隣接領域に帯状に形成されていてもよい。
例えば図４〜図７においては、表示領域内積層柱６が、長辺方向ｍに隣接する開口部１２に挟まれる積層柱形成領域１３に形成されており、表示領域内積層柱６を構成する１層目の赤色非画素部着色部５Ｒおよび２層目の青色非画素部着色部５Ｂは、積層柱形成領域１３、および、この積層柱形成領域１３の開口部の短辺方向ｎに隣接する隣接領域１４に、帯状に形成されている。
なお、図５は図４におけるＣ−Ｃ線断面図であり、図６は図４におけるＤ−Ｄ線断面図であり、図７は図４におけるＥ−Ｅ線断面図である。また、図４において、透明保護層は省略されている。
【００５１】
１層目の非画素部着色部および２層目の非画素部着色部が、積層柱形成領域と、この積層柱形成領域の開口部の短辺方向に隣接する隣接領域のうち少なくとも片側の隣接領域に帯状に形成されている場合、図８に例示するように、１層目の非画素部着色部（５Ｒ）が積層柱形成領域１３内のみに形成され、２層目の非画素部着色部（５Ｂ）が積層柱形成領域１３および積層柱形成領域１３の開口部の短辺方向ｎに隣接する片側の隣接領域１４に帯状に形成されていてもよい。また、図９に例示するように、１層目の非画素部着色部（５Ｒ）が積層柱形成領域１３および片側の隣接領域１４に帯状に形成され、２層目の非画素部着色部（５Ｂ）が積層柱形成領域１３内のみに形成されていてもよい。さらに、図１０に例示するように、１層目の非画素部着色部（５Ｒ）が積層柱形成領域１３および一方の片側の隣接領域１４に帯状に形成され、２層目の非画素部着色部（５Ｂ）が積層柱形成領域１３および他方の片側の隣接領域１４に帯状に形成されていてもよい。また、図１１に例示するように、１層目の非画素部着色部（５Ｒ）および２層目の非画素部着色部（５Ｂ）が、積層柱形成領域１３および一方の片側の隣接領域１４に帯状に形成され、隣接領域１４にて積層されていてもよい。さらに、図５に例示するように、１層目の非画素部着色部（５Ｒ）および２層目の非画素部着色部（５Ｂ）が、積層柱形成領域１３および両側の隣接領域１４に帯状に形成され、隣接領域１４にて積層されていてもよい。
なお、図８〜図１１は、表示領域内積層柱を含む開口部の短辺方向の断面図である。
【００５２】
中でも、１層目の非画素部着色部および２層目の非画素部着色部の少なくとも一方が、積層柱形成領域および少なくとも片側の隣接領域上に帯状に形成されていることが好ましい。１層目の非画素部着色部が、積層柱形成領域および少なくとも片側の隣接領域に帯状に形成されている場合には、２層目の非画素部着色部の形成時において、２色目の着色部用感光性樹脂組成物が積層柱形成領域から隣接領域方向にレベリングするのを抑制することができる。このため、２層目の非画素部着色部の厚みを厚いものとすることができる。また、２層目の非画素部着色部が、積層柱形成領域および少なくとも片側の隣接領域に帯状に形成されている場合には、３層目の非画素部着色部の形成時において、３色目の着色部用感光性樹脂組成物が、積層柱形成領域から隣接領域方向にレベリングするのを抑制することができる。このため、３層目の非画素部着色部の厚みを厚いものとすることができる。このように、１層目の非画素部着色部および２層目の非画素部着色部の少なくとも一方が、積層柱形成領域および少なくとも片側の隣接領域に帯状に形成されていることにより、表示領域内積層柱の高さを高いものとすることができる。
【００５３】
特に、１層目の非画素部着色部および２層目の非画素部着色部が、積層柱形成領域および少なくとも片側の隣接領域に帯状に形成され、隣接領域において積層されていることが好ましい。２層目の非画素部着色部および３層目の非画素部着色部の形成時において、２色目および３色目の着色部用感光性樹脂組成物が、積層柱形成領域から、この積層柱形成領域の両側の隣接領域のうち少なくとも片側の隣接領域方向へレベリングするのをより効果的に抑制することができ、２層目の非画素部着色部および３層目の非画素部着色部の厚みを厚いものとすることができるからである。
【００５４】
さらには、１層目の非画素部着色部および２層目の非画素部着色部が、積層柱形成領域および両側の隣接領域に帯状に形成されていることが好ましい。２層目の非画素部着色部および３層目の非画素部着色部の形成時において、２色目および３色目の着色部用感光性樹脂組成物が、積層柱形成領域から、この積層柱形成領域の両側の隣接領域方向へのレベリングするのを抑制することができるからである。このため、２層目の非画素部着色部および３層目の非画素部着色部の厚みをより厚いものとすることができる。
【００５５】
３層目の非画素部着色部の形成位置としては、少なくとも一部が積層柱形成領域に形成されていればよく、本発明の横電界液晶駆動方式用カラーフィルタの用途等に応じて適宜設定される。
【００５６】
なお、「隣接領域」とは、上記積層柱形成領域の開口部の短辺方向に隣接する領域であり、上記積層柱形成領域の開口部の短辺方向の両側に隣接する領域をいう。例えば図４においては、隣接領域１４は、積層柱形成領域１３の開口部の短辺方向ｎの両側に隣接する領域となる。
【００５７】
また、「非画素部着色部が、積層柱形成領域および隣接領域に帯状に形成されている」とは、非画素部着色部が、積層柱形成領域および隣接領域にて一体に形成されていることをいう。例えば図４および図６においては、赤色非画素部着色部５Ｒが積層柱形成領域１３および隣接領域１４にて一体に形成され、青色非画素部着色部５Ｂが積層柱形成領域１３および隣接領域１４にて一体に形成されている。
【００５８】
１層目の非画素部着色部、２層目の非画素部着色部および３層目の非画素部着色部は、これらの非画素部着色部と同色の画素部着色部と、積層柱形成領域において、連続的に形成されていてもよく、非連続的に形成されていてもよい。
【００５９】
中でも、１層目の非画素部着色部または２層目の非画素部着色部が、これらの非画素部着色部と同色の画素部着色部と積層柱形成領域にて連続的に形成されていることが好ましい。積層柱形成領域における１層目の非画素部着色部または２層目の非画素部着色部の平面視面積を広いものとすることが容易となるからである。
【００６０】
なお、「非画素部着色部が、この非画素部着色部と同色の画素部着色部と積層柱形成領域にて連続的に形成されている」とは、非画素部着色部が、同色の画素部着色部と積層柱形成領域にて連続して一体に形成されていることをいう。例えば図４および図６においては、表示領域内積層柱６を構成する１層目の赤色非画素部着色部５Ｒが、赤色画素部着色部４Ｒと積層柱形成領域１３にて連続して一体に形成されており、図４および図７においては、表示領域内積層柱６を構成する２層目の青色非画素部着色部５Ｂが、青色画素部着色部４Ｂと積層柱形成領域１３にて連続して一体に形成されている。
また、「１層目の非画素部着色部または２層目の非画素部着色部が、これらの非画素部着色部と同色の画素部着色部と連続的に形成されている」とは、図６に例示するように、１層目の赤色非画素部着色部５Ｒが、赤色画素部着色部４Ｒと積層柱形成領域１３にて連続的に形成されている場合や、図７に例示するように、２層目の青色非画素部着色部５Ｂが、青色画素部着色部４Ｂと積層柱形成領域１３にて連続的に形成されている場合を挙げることができる。
【００６１】
一方、「非画素部着色部が、この非画素部着色部と同色の画素部着色部と積層柱形成領域にて非連続的に形成されている」とは、非画素部着色部が、同色の画素部着色部と積層柱形成領域にて分離して形成されていることをいう。非画素部着色部が、この非画素部着色部と同色の画素部着色部と積層柱形成領域にて非連続的に形成されている場合としては、図１２および図１２のＦ−Ｆ線断面図である図１３に例示するように、１層目の赤色非画素部着色部５Ｒが、赤色画素部着色部４Ｒと積層柱形成領域１３にて接していない場合を挙げることができる。なお、図１２において、透明保護層は省略されている。
【００６２】
１層目の非画素部着色部および２層目の非画素部着色部のそれぞれの幅としては、２層目の非画素部着色部および３層目の非画素部着色部の形成時に、２色目および３色目の着色部用感光性樹脂組成物が積層柱形成領域から隣接領域方向にレベリングするのを抑制することが可能であれば特に限定されるものではない。具体的には、上記幅は、３０μｍ以上であることが好ましく、なかでも３５μｍ〜７５μｍの範囲内であることが好ましく、特に４５μｍ〜６５μｍの範囲内であることが好ましい。１層目の非画素部着色部の幅が上記範囲内であることにより、２層目の非画素部着色部の形成時に、２色目の着色部用感光性樹脂組成物が積層柱形成領域から隣接領域方向にレベリングすることを抑制することができるからである。このため、上記積層柱の高さを十分な高さとすることができる。また、２層目の非画素部着色部の幅が上記範囲内であることにより、３層目の非画素部着色部の形成時に、３色目の着色部用感光性樹脂組成物が積層柱形成領域から隣接領域方向にレベリングするのを抑制することができるからである。このため、表示領域内積層柱の高さを十分な高さとすることができる。
【００６３】
なお、１層目の非画素部着色部および２層目の非画素部着色部のそれぞれの幅とは、１層目の非画素部着色部および２層目の非画素部着色部のそれぞれについて、開口部の短辺方向の長さのうち最大の長さをいうものである。
【００６４】
３層目の非画素部着色部の幅としては、液晶表示装置に用いた場合に所望のセルギャップを維持することができるものであればよく、本発明の横電界液晶駆動方式用カラーフィルタの用途等に応じて適宜設定される。
【００６５】
積層柱形成領域の位置としては、長辺方向に隣接する開口部に挟まれる領域であればよい。なかでも、１層目の非画素部着色部または２層目の非画素部着色部と同色の画素部着色部が形成される開口部に挟まれる領域であることが好ましく、特に、１層目の非画素部着色部と同色の着色部が形成される開口部に挟まれる領域であることが好ましい。
積層柱形成領域が、２層目の非画素部着色部と同色の画素部着色部が形成される開口部に挟まれる領域である場合には、３層目の非画素部着色部の形成時において、２層目の非画素部着色部と同色の画素部着色部が、積層柱形成領域を挟む開口部に形成されている。このため、３色目の着色部用感光性樹脂組成物が積層柱形成領域から開口部の長辺方向にレベリングするのを抑制することができる。このため、３層目の非画素部着色部の厚みを厚いものとすることができ、表示領域内積層柱の高さを高いものとすることができる。
また、積層柱形成領域が、１層目の非画素部着色部と同色の画素部着色部が形成される開口部に挟まれる領域である場合には、２層目の非画素部着色部の形成時において、２色目の着色部用感光性樹脂組成物が積層柱形成領域から開口部の長辺方向にレベリングするのを抑制することができる。また、３層目の非画素部着色部の形成時において、１層目の非画素部着色部と同色の画素部着色部が、積層柱形成領域を挟む開口部に形成されているため、３色目の着色部用感光性樹脂組成物が積層柱形成領域から開口部の長辺方向にレベリングするのを抑制することができる。このため、２層目の非画素部着色部および３層目の非画素部着色部の厚みを厚いものとすることができ、表示領域内積層柱の高さをより高いものとすることができる。
【００６６】
表示領域内積層柱の高さとしては、本発明の横電界液晶駆動方式用カラーフィルタを、所望のスペーサ高さを有するものとすることができれば特に限定されるものではなく、具体的には、５．０μｍ〜７．５μｍの範囲内であることが好ましく、なかでも５．０μｍ〜７．０μｍの範囲内であることが好ましく、特に５．０μｍ〜６．５μｍの範囲内であることが好ましい。表示領域内積層柱の高さが上記範囲内であることにより、表示領域内積層柱を覆うように透明保護層が形成されていても、スペーサ高さを十分に高いものとすることができるからである。
なお、表示領域内積層柱の高さとは、遮光部の表面から垂直方向に、表示領域内積層柱の頂部までの距離のうち最長の距離をいう。例えば図２において、表示領域内積層柱６の高さはｄ１である。
【００６７】
また、表示領域内積層柱が形成されている部位のスペーサ高さとしては、所望のセルギャップを形成することができるものであればよいが、具体的には、３．５μｍ〜６．０μｍの範囲内であることが好ましく、なかでも３．５μｍ〜５．５μｍの範囲内であることが好ましく、特に４．０μｍ〜５．０μｍの範囲内であることが好ましい。
なお、表示領域内積層柱が形成されている部位のスペーサ高さとは、遮光部上に直に形成される透明保護層の表面から垂直方向に、上記表示領域内積層柱上に形成される透明保護層の頂部までの距離のうち最長の距離をいう。例えば図２において、表示領域内積層柱６が形成されている部位のスペーサ高さはｈ１である。
【００６８】
表示領域内積層柱が形成されている部位の透明保護層の上底面積としては、表示領域内の遮光部上に形成可能であればよく、表示領域内積層柱を構成する非画素部着色部の平面視面積等に応じて異なるものであるが、表示領域外積層柱が形成されている部位の透明保護層の上底面積よりも小さいことが好ましい。具体的に、表示領域内積層柱が形成されている部位の透明保護層の上底面積は、１００μｍ2〜３０００μｍ2の範囲内であることが好ましく、なかでも１５０μｍ2〜２０００μｍ2の範囲内であることが好ましく、特に２００μｍ2〜１０００μｍ2の範囲内であることが好ましい。透明保護層の上底面積が上記範囲よりも小さいと、表示領域内積層柱の形成が困難であり、また透明保護層の上底面積が上記範囲よりも大きいと、所望の低荷重域での変形特性が得られない場合があるからである。
なお、「積層柱が形成されている部位の透明保護層の上底面積」とは、積層柱上に形成された透明保護層の頂部から垂直方向に、０．１μｍ下方の位置における断面積をいう。また、「断面積」とは、透明保護層を、基板の直上方向から正視した場合の面積をいう。ここで、キーエンス社製カラー3Dレーザー顕微鏡VK-8500にて、積層柱上に形成された透明保護層の頂部から０．１μｍ下方の位置の寸法を測定し、断面積を算出し、算出された断面積を上底面積とした。
【００６９】
表示領域内積層柱の形成数としては、液晶表示装置に用いた場合に、所望のセルギャップを形成することができるものであればよい。具体的には、表示領域内積層柱が、画素１個あたり、０．５１個以上形成されていることが好ましく、なかでも０．５５個〜０．７７個の範囲内であることが好ましい。表示領域内積層柱の形成数が上記範囲内であることにより、セルギャップの均一性に優れたものとすることができるからである。
なお、１個の画素とは、開口部に形成された１個の画素部着色部をいう。
【００７０】
（２）表示領域外積層柱
本発明における表示領域外積層柱は、表示領域外の遮光部上に複数形成され、２色の非画素部着色部が積層されたものである。
【００７１】
表示領域外積層柱を構成する２色の非画素部着色部の色は、３色の非画素部着色部の色のうち、いずれの２色であってもよい。例えば、３色の画素部着色部の色が赤、緑および青である場合、表示領域外積層柱を構成する２色の非画素部着色部の色は、赤および緑、赤および青、緑および青のいずれであってもよい。また、上記表示領域内積層柱と同様に、１層目および２層目の非画素部着色部の色はそれぞれ異なり、開口部に形成される各色の画素部着色部の形成順により決定される。
【００７２】
１層目の非画素部着色部および２層目の非画素部着色部の形成位置としては、表示領域外の遮光部上であれば特に限定されるものではない。
【００７３】
１層目の非画素部着色部および２層目の非画素部着色部は、これらの非画素部着色部と同色の画素部着色部と連続的に形成されていてもよく、非連続的に形成されていてもよい。例えば図４においては、額縁遮光部３ｂ上に形成された表示領域外積層柱７ａを構成する１層目の非画素部着色部（５Ｒ）は、同色の画素部着色部（４Ｒ）と連続的に形成されている。一方、例えば図１においては、額縁遮光部３ｂ上に形成された表示領域外積層柱７ａを構成する１層目の非画素部着色部（５Ｒ）は、同色の画素部着色部（４Ｒ）と非連続的に形成され、外周遮光部３ｃ上に形成された表示領域外積層柱７ｂを構成する１層目の非画素部着色部（５Ｒ）も、同色の画素部着色部（４Ｒ）と非連続的に形成されている。
【００７４】
中でも、１層目の非画素部着色部は、この非画素部着色部と同色の画素部着色部と非連続的に形成されていることが好ましい。１層目の非画素部着色部が同色の画素部着色部と非連続的に形成されている場合には、２層目の非画素部着色部の形成時において、２色目の着色部用感光性樹脂組成物がレベリングするのを促進することができる。このため、２層目の非画素部着色部の厚みを薄いものとすることができ、表示領域外積層柱の高さを表示領域内積層柱の高さに対して低くすることができる。
【００７５】
また、１層目の非画素部着色部は、同色の画素部着色部と連続的に形成されたものと、同色の画素部着色部と非連続的に形成されたものとが混在していてもよい。
上記の場合、中でも、額縁遮光部上に形成された表示領域外積層柱を構成する１層目の非画素部着色部が、同色の画素部着色部と連続的に形成され、外周遮光部上に形成された表示領域外積層柱を構成する１層目の非画素部着色部が、同色の画素部着色部と非連続的に形成されていることが好ましい。例えば図４においては、額縁遮光部３ｂ上に形成された表示領域外積層柱７ａを構成する１層目の非画素部着色部（５Ｒ）は、同色の画素部着色部（４Ｒ）と連続的に形成され、外周遮光部３ｃ上に形成された表示領域外積層柱７ｂを構成する１層目の非画素部着色部（５Ｒ）は、同色の画素部着色部（４Ｒ）と非連続的に形成されている。この場合、２層目の非画素部着色部の形成時において、額縁遮光部３ｂ上に形成された１層目の非画素部着色部（５Ｒ）上では２色目の着色部用感光性樹脂組成物がレベリングするのを抑制し、外周遮光部３ｃ上に形成された１層目の非画素部着色部（５Ｒ）上では２色目の着色部用感光性樹脂組成物がレベリングするのを促進することができる。このため、外周遮光部上に形成された２層目の非画素部着色部の厚みを、額縁遮光部上に形成された２層目の非画素部着色部の厚みよりも薄くすることができる。したがって、外周遮光部３ｃ上に形成された表示領域外積層柱７ｂの高さを、額縁遮光部３ｂ上に形成された表示領域外積層柱７ａの高さよりも低くすることができる。これにより、セルギャップをさらに均一化することができる。
【００７６】
なお、「非画素部着色部が、この非画素部着色部と同色の画素部着色部と非連続的に形成されている」とは、非画素部着色部が、同色の画素部着色部と分離して形成されていることをいう。例えば図１においては、表示領域外積層柱７ａ，７ｂを構成する１層目の赤色非画素部着色部５Ｒが、赤色画素部着色部４Ｒと接していなく、分離して形成されている。
【００７７】
１層目の非画素部着色部の形状としては、特に限定されるものではないが、１層目の非画素部着色部が同色の画素部着色部と非連続的に形成されている場合には、図１に例示するように、１層目の非画素部着色部（５Ｒ）が遮光部（額縁遮光部３ｂ、外周遮光部３ｃ）上に点状に形成されていることが好ましい。２層目の非画素部着色部を形成する際に塗工される２色目の着色部用感光性樹脂組成物のレベリングを促進し、２層目の非画素部着色部の厚みを薄くして、表示領域外積層柱の高さを表示領域内積層柱の高さに対して低くすることができるからである。
【００７８】
また、２層目の非画素部着色部の形状としては、２層目の非画素部着色部が同色の画素部着色部と非連続的に形成されている場合、上記１層目の非画素部着色部と同様に、２層目の非画素部着色部が点状に形成されていることが好ましい。透明保護層用感光性樹脂組成物のレベリングを促進し、表示領域外積層柱上の透明保護層の厚みを薄くすることができるからである。
【００７９】
１層目の非画素部着色部および２層目の非画素部着色部の平面視面積の大きさ順としては、表示領域外積層柱を所望の高さおよび所望の強度とすることができるものであればよい。したがって、１層目の非画素部着色部＜２層目の非画素部着色部の順に平面視面積が大きくてもよく、２層目の非画素部着色部＜１層目の非画素部着色部の順に平面視面積が大きくてもよい。通常、２層目の非画素部着色部＜１層目の非画素部着色部の順に平面視面積が大きいものとされる。
【００８０】
１層目の非画素部着色部および２層目の非画素部着色部のそれぞれの平面視面積としては、液晶表示装置に用いた場合に所望のセルギャップを維持することができるものであればよく、本発明の横電界液晶駆動方式用カラーフィルタの用途等に応じて適宜設定される。
【００８１】
表示領域外積層柱の高さとしては、所望のスペーサ高さを得ることができればよく、具体的には、３．７５μｍ〜６．２５μｍの範囲内であることが好ましく、なかでも３．７５μｍ〜５．７５μｍの範囲内であることが好ましく、特に４．２５μｍ〜５．２５μｍの範囲内であることが好ましい。表示領域外積層柱の高さが上記範囲内であることにより、表示領域外積層柱を覆うように透明保護層が形成されていても、スペーサ高さを十分に高いものとすることができるからである。
なお、表示領域外積層柱の高さとは、遮光部の表面から垂直方向に、表示領域外積層柱の頂部までの距離のうち最長の距離をいう。例えば図２において、表示領域外積層柱７ａの高さはｄ２であり、表示領域外積層柱７ｂの高さはｄ３である。
【００８２】
また、表示領域外積層柱が形成されている部位のスペーサ高さとしては、所望のセルギャップを形成することができるものであればよいが、具体的には、３．０μｍ〜５．５μｍの範囲内であることが好ましく、なかでも３．０μｍ〜５．０μｍの範囲内であることが好ましく、特に３．５μｍ〜４．５μｍの範囲内であることが好ましい。
なお、表示領域外積層柱が形成されている部位のスペーサ高さとは、遮光部上に直に形成される透明保護層の表面から垂直方向に、上記表示領域外積層柱上に形成される透明保護層の頂部までの距離のうち最長の距離をいう。例えば図２において、表示領域外積層柱７ａが形成されている部位のスペーサ高さはｈ２であり、表示領域外積層柱７ｂが形成されている部位のスペーサ高さはｈ３である。
【００８３】
表示領域内積層柱が形成されている部位のスペーサ高さと、表示領域外積層柱が形成されている部位のスペーサ高さとの差としては、０．５μｍ以上であることが好ましく、より好ましくは０．５μｍ〜１．０μｍの範囲内、さらに好ましくは０．５μｍ〜０．８μｍの範囲内である。スペーサ高さの差が上記範囲であれば、効果的にセルギャップの均一化を図ることができるからである。
【００８４】
また、表示領域外積層柱が形成されている部位の透明保護層の上底面積としては、表示領域内の遮光部上に形成可能であればよく、表示領域外積層柱を構成する非画素部着色部の平面視面積等に応じて異なるものであるが、表示領域内積層柱が形成されている部位の透明保護層の上底面積よりも大きいことが好ましい。具体的に、表示領域外積層柱が形成されている部位の透明保護層の上底面積は、５００μｍ2〜５０００μｍ2の範囲内であることが好ましく、なかでも５００μｍ2〜４０００μｍ2の範囲内であることが好ましく、特に５００μｍ2〜３０００μｍ2の範囲内であることが好ましい。透明保護層の上底面積が上記範囲よりも小さいと、所望の耐荷重特性が得られない場合があり、また透明保護層の上底面積が上記範囲よりも大きいものは、その形成が困難となるからである。
【００８５】
表示領域外積層柱が形成されている部位の透明保護層の上底面積が、表示領域内積層柱が形成されている部位の透明保護層の上底面積よりも大きい場合、表示領域外積層柱が形成されている部位の透明保護層の上底面積と、表示領域内積層柱が形成されている部位の透明保護層の上底面積との差としては、１００μｍ2以上であることが好ましく、より好ましくは１００μｍ2〜４０００μｍ2の範囲内、さらに好ましくは１００μｍ2〜３０００μｍ2の範囲内である。透明保護層の上底面積の差が上記範囲であれば、表示領域外積層柱を十分な耐荷重特性を有するものとすることができるからである。
【００８６】
表示領域外積層柱の形成数としては、液晶表示装置に用いた場合に、所望のセルギャップを形成することができれば特に限定されるものではない。
【００８７】
２．着色層
本発明に用いられる着色層は、後述する遮光部が備える開口部に形成された３色の画素部着色部と、遮光部上に形成され、画素部着色部と同色の３色の非画素部着色部とを有するものである。また、着色層において、画素部着色部は、長辺方向に隣接する画素部着色部の色が同色となるように、配置されている。
【００８８】
３色の画素部着色部および３色の非画素部着色部の色としては、通常、赤、緑および青とされる。
【００８９】
本発明における各色の画素部着色部および非画素部着色部は、各色の顔料や染料等の着色剤をバインダ樹脂中に分散または溶解させたものであり、フォトリソグラフィー法により形成されるものである。
【００９０】
本発明において、赤（Ｒ）の画素部着色部および非画素部着色部に用いられる着色剤としては、例えば、ペリレン系顔料、レーキ顔料、アゾ系顔料、キナクリドン系顔料、アントラキノン系顔料、アントラセン系顔料、イソインドリン系顔料等が挙げられる。これらの顔料は単独で用いてもよく２種以上を混合して用いてもよい。
緑（Ｇ）の画素部着色部および非画素部着色部に用いられる着色剤としては、例えば、ハロゲン多置換フタロシアニン系顔料もしくはハロゲン多置換銅フタロシアニン系顔料等のフタロシアニン系顔料、トリフェニルメタン系塩基性染料、イソインドリン系顔料、イソインドリノン系顔料等が挙げられる。これらの顔料もしくは染料は単独で用いてもよく２種以上を混合して用いてもよい。
青（Ｂ）の画素部着色部および非画素部着色部に用いられる着色剤としては、例えば、銅フタロシアニン系顔料、アントラキノン系顔料、インダンスレン系顔料、インドフェノール系顔料、シアニン系顔料、ジオキサジン系顔料等が挙げられる。これらの顔料は単独で用いてもよく２種以上を混合して用いてもよい。
【００９１】
画素部着色部および非画素部着色部に用いられるバインダ樹脂としては、例えば、アクリレート系、メタクリレート系、ポリ桂皮酸ビニル系、もしくは環化ゴム系等の反応性ビニル基を有する感光性樹脂が用いられる。この場合、着色剤および感光性樹脂を含有する着色部用感光性樹脂組成物に、光重合開始剤を添加してもよく、さらには必要に応じて増感剤、塗布性改良剤、現像改良剤、架橋剤、重合禁止剤、可塑剤、難燃剤等を添加してもよい。
【００９２】
上記各色の画素部着色部の膜厚は、通常、１μｍ〜５μｍ程度で設定される。
【００９３】
３．遮光部
本発明に用いられる遮光部は、後述する基板上に形成されるものであり、短辺および長辺を有する長方形状の開口部を備えるものである。
【００９４】
遮光部の開口部の形状は、短辺および長辺を有する長方形状であればよく、例えば長方形であってもよく、長方形と接するように囲まれる形状であってもよい。長方形と接するように囲まれる形状としては、具体的には、図１４(a)および(b)に例示するような長方形の角部に切り欠きを有する形状の開口部１２、図１４(c)に例示するような楕円形の開口部１２、図１４(d)に例示するような多角形の開口部１２を挙げることができる。
【００９５】
遮光部としては、例えば、黒色着色剤をバインダ樹脂中に分散または溶解させたものや、クロム、酸化クロム等の金属薄膜等が挙げられる。この金属薄膜は、ＣｒＯｘ膜（ｘは任意の数）およびＣｒ膜が２層積層されたものであってもよく、また、より反射率を低減させたＣｒＯｘ膜（ｘは任意の数）、ＣｒＮｙ膜（ｙは任意の数）およびＣｒ膜が３層積層されたものであってもよい。中でも、遮光部の膜厚を比較的厚くすることができるという点で、遮光部は黒色着色剤をバインダ樹脂中に分散または溶解させたものであることが好ましい。
【００９６】
上記の場合であって、遮光部の形成方法として印刷法やインクジェット法を用いる場合、バインダ樹脂としては、例えば、ポリメチルメタクリレート樹脂、ポリアクリレート樹脂、ポリカーボネート樹脂、ポリビニルアルコール樹脂、ポリビニルピロリドン樹脂、ヒドロキシエチルセルロース樹脂、カルボキシメチルセルロース樹脂、ポリ塩化ビニル樹脂、メラミン樹脂、フェノール樹脂、アルキッド樹脂、エポキシ樹脂、ポリウレタン樹脂、ポリエステル樹脂、マレイン酸樹脂、ポリアミド樹脂等が挙げられる。
また、上記の場合であって、遮光部の形成方法としてフォトリソグラフィー法を用いる場合、バインダ樹脂としては、例えば、アクリレート系、メタクリレート系、ポリ桂皮酸ビニル系、もしくは環化ゴム系等の反応性ビニル基を有する感光性樹脂が用いられる。この場合、黒色着色剤および感光性樹脂を含有する遮光部用感光性樹脂組成物に、光重合開始剤を添加してもよく、さらには必要に応じて増感剤、塗布性改良剤、現像改良剤、架橋剤、重合禁止剤、可塑剤、難燃剤等を添加してもよい。
【００９７】
一方、遮光部が金属薄膜である場合、この遮光部の形成方法としては、遮光部をパターニングすることができる方法であれば特に限定されるものではなく、例えば、フォトリソグラフィー法、マスクを用いた蒸着法、印刷法等を挙げることができる。
【００９８】
遮光部の膜厚としては、金属薄膜の場合は０．２μｍ〜０．４μｍ程度で設定され、黒色着色剤をバインダ樹脂中に分散または溶解させたものである場合は０．５μｍ〜２μｍ程度で設定される。
【００９９】
４．透明保護層
本発明に用いられる透明保護層は、上記着色層および積層柱を覆うように形成されるものである。
【０１００】
透明保護層の形成材料としては、遮光部、着色層および積層柱から液晶層への汚染物質の溶出を防止することができ、着色層表面を平坦性に優れたものとすることができるものであればよい。このような材料としては、カラーフィルタの透明保護層として一般的に使用されるものを用いることができる。例えば、架橋型樹脂をベースとした化学増幅型感光性樹脂、具体的にはポリビニルフェノールに架橋剤を加え、さらに酸発生剤を加えた化学増幅型感光性樹脂等や、少なくとも紫外線照射によりラジカル成分を発生する光重合開始剤と、分子内にＣ＝Ｃなるアクリル基を有し、発生したラジカルにより重合反応を起こして硬化する成分と、その後の現像により未露光部が溶解可能となる官能基（例えば、アルカリ溶液による現像の場合は酸性基をもつ成分）とを含有するアクリル系ネガ型感光性樹脂を挙げることができるが、通常、アクリル系ネガ型感光性樹脂が用いられる。
上記アクリル系ネガ型感光性樹脂に用いられるアクリル基を有する成分のうち、比較的低分子量の多官能アクリル分子としては、ジペンタエリスリトールヘキサアクリレート（ＤＰＨＡ）、ジペンタエリスリトールペンタアクリレート（ＤＰＰＡ）、テトラメチルペンタトリアクリレート（ＴＭＰＴＡ）等が挙げられる。また、高分子量の多官能アクリル分子としては、スチレン−アクリル酸−ベンジルメタクリレート共重合体の一部のカルボン酸基部分にエポキシ基を介してアクリル基を導入したポリマー等が挙げられる。
【０１０１】
また、ノボラック樹脂をベース樹脂としたポジ型感光性樹脂を用いることもできる。
【０１０２】
上記材料の塗布方法としては、例えばスピンコート法、キャスティング法、ディッピング法、バーコート法、ブレードコート法、ロールコート法、グラビアコート法、フレキソ印刷法、スプレーコート法等を使用することができる。
【０１０３】
透明保護層の厚みとしては、０．１μｍ〜１０μｍの範囲内であることが好ましく、なかでも０．１μｍ〜５μｍの範囲内であることが好ましい。透明保護層の厚みが上記範囲内であることにより、遮光部、着色層および積層柱から液晶層への汚染物質の溶出を抑制することができるからである。
【０１０４】
５．基板
本発明に用いられる基板の材料としては、従来よりカラーフィルタに用いられているものを用いることができる。このような材料としては、例えば、石英ガラス、パイレックス（登録商標）ガラス、合成石英板等の可撓性のない透明な無機基板、および、透明樹脂フィルム、光学用樹脂板等の可撓性を有する透明な樹脂基板等を挙げることができる。なかでも本工程において無機基板を用いることが好ましく、無機材料のなかでもガラス基板を用いることが好ましい。さらには、上記ガラス基板のなかでも無アルカリタイプのガラス基板を用いることが好ましい。上記無アルカリタイプのガラス基板は寸度安定性および高温加熱処理における作業性に優れ、かつ、ガラス中にアルカリ成分を含まないことから、アクティブマトリックス方式によるカラー液晶表示装置用のカラーフィルタに好適に用いることができるからである。
【０１０５】
上記基板は、透明な基板であってもよく、または、反射性の基板や白色に着色したものであってもよいが、本発明においては通常透明なものが用いられる。
【０１０６】
６．その他の構成
本発明の横電界液晶駆動方式用カラーフィルタは、上記の基板、遮光部、着色層、積層柱および透明保護層を有するものであればよく、必要に応じて透明電極層、配向膜等の他の構成を有していてもよい。
【０１０７】
本発明においては、上記基板の遮光部、着色層および積層柱が形成されている面とは反対側の面に透明電極層が形成されていてもよい。
透明電極層の形成材料としては、例えば、酸化インジウム錫（ＩＴＯ）、酸化インジウム、酸化インジウム亜鉛（ＩＺＯ）、酸化亜鉛、酸化錫等が挙げられる。
透明電極層の形成方法としては、例えば、真空蒸着法、スパッタリング法、イオンプレーティング法等により薄膜を形成し、フォトリソグラフィー法によりパターニングする方法が好ましく用いられる。
また、透明電極層の膜厚としては、通常、１００ｎｍ〜３００ｎｍ程度で設定される。
【０１０８】
また、本発明においては、透明保護層上に配向膜が形成されていてもよい。
配向膜としては、液晶分子を配向させる配向機能を有するものであれば特に限定されるものではなく、例えば、光配向膜、ラビング配向膜などが挙げられる。
【０１０９】
７．横電界液晶駆動方式用カラーフィルタの製造方法
本発明の横電界液晶駆動方式用カラーフィルタの製造方法としては、上記各構成を精度良く形成することができる方法であればよく、フォトリソグラフィー法を用いて、上記着色部および非画素部着色部を含む着色層を形成する方法を用いることができる。
【０１１０】
このようなカラーフィルタの製造方法としては、具体的には、図１５に示すように、基板２と、上記基板２上に形成され、開口部１２を備える遮光部（画素間遮光部３ａ，額縁遮光部３ｂ，外周遮光部３ｃ）とを有するカラーフィルタ形成用基板を準備し（図１５(a)）、赤色画素部着色部４Ｒおよび赤色非画素部着色部５Ｒを形成する（図１５(b)）。このとき、画素間遮光部３ａ上に形成される表示領域内積層柱を構成する１層目の赤色非画素部着色部５Ｒ、および、額縁遮光部３ｂおよび外周遮光部３ｃ上に形成される表示領域外積層柱を構成する１層目の赤色非画素部着色部５Ｒも一括して形成する。
次いで、図１５(c)に示すように、青色画素部着色部４Ｂおよび青色非画素部着色部５Ｂを形成する。このとき、画素間遮光部３ａ上に形成される表示領域内積層柱を構成する２層目の青色非画素部着色部５Ｂも一括して形成する。また、２層目の青色非画素部着色部５Ｂは、上記１層目の赤色非画素部着色部５Ｒ上に形成される。
次いで、図１５(d)に示すように、緑色画素部着色部４Ｇおよび緑色非画素部着色部５Ｇを形成する。このとき、画素間遮光部３ａ上に形成される表示領域内積層柱を構成する３層目の緑色非画素部着色部５Ｇ、および、額縁遮光部３ｂおよび外周遮光部３ｃ上に形成される表示領域外積層柱を構成する２層目の緑色非画素部着色部５Ｇも一括して形成する。また、画素間遮光部３ａ上では、３層目の緑色非画素部着色部５Ｇは上記２層目の青色非画素部着色部５Ｂ上に形成され、額縁遮光部３ｂおよび外周遮光部３ｃ上では、２層目の緑色非画素部着色部５Ｇは上記１層目の赤色非画素部着色部５Ｒ上に形成される。
このようにして、３色の非画素部着色部が積層された表示領域内積層柱６と、２色の非画素部着色部が積層された表示領域外積層柱７とが形成される。
続いて、図示しないが、着色層および積層柱を覆うように透明保護層を形成する。
【０１１１】
８．用途
本発明の横電界液晶駆動方式用カラーフィルタは、液晶表示装置に用いることができ、なかでも、セルギャップが均一であり、表示品位に優れることが要求される液晶表示装置に好適に用いられる。
【０１１２】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１１３】
以下、本発明について実施例を用いて具体的に説明する。
【０１１４】
［実施例１］
１．遮光部の形成
透明基板として、大きさが３００ｍｍ×４００ｍｍ、厚みが０．７ｍｍのガラス基板（コーニング社製１７３７ガラス）を準備した。この透明基板を定法にしたがって洗浄した後、ネガ型感光性ブラックレジスト（東京応化工業（株）製  ＣＦＰＲ ＤＮ−８３）を塗布し、所定のマスクを介して露光、現像、熱処理して、縦ストライプ線幅１０μｍ、縦ストライプピッチ１５０μｍ、横ストライプ線幅７５μｍ、横ストライプピッチ４５０μｍとなる格子状の遮光部を形成した。これにより、短辺が１４０μｍで、長辺が３７５μｍの開口部が、短辺方向に１０μｍ間隔で、長辺方向に７５μｍ間隔で形成された。また、長辺方向に隣接する開口部に挟まれる領域は、開口部の長辺方向の長さが７５μｍで、開口部の短辺方向の長さが１４０μｍの長方形状の領域となった。また、表示領域外の外周部の所定位置に直径が５０μｍとなるドット状の遮光部を同時に形成した。
【０１１５】
２．着色層および積層柱の形成
次に、下記組成の赤色着色部用のネガ型感光性樹脂組成物、青色着色部用のネガ型感光性樹脂組成物、緑色着色部用のネガ型感光性樹脂組成物を調製した。
【０１１６】
＜赤色着色部用のネガ型感光性樹脂組成物＞
・赤顔料（チバ・スペシャリティ・ケミカルズ社製  クロモフタルレッドＡ２Ｂ）
４．８重量部
・黄顔料（ＢＡＳＦ社製  パリオトールイエローＤ１８１９）        １．２重量部
・分散剤（ビックケミー社製ディスパービック１６１）              ３．０重量部
・モノマー（サートマー社製  ＳＲ３９９）                        ４．０重量部
・ポリマーＩ                                                    ５．０重量部
・開始剤（チバ・スペシャリティ・ケミカルズ社製  イルガキュア９０７）
１．４重量部
・開始剤（２，２´−ビス（ｏ−クロロフェニル）−４，５，４´，５´−テトラフェニル−１，２´−ビイミダゾール）                                  ０．６重量部
・溶剤（プロピレングリコールモノメチルエーテルアセテート）    ８０．０重量部
【０１１７】
＜青色着色部用のネガ型感光性樹脂組成物＞
・青顔料（ＢＡＳＦ社製  ヘリオゲンブルーＬ６７００Ｆ）          ６．０重量部
・顔料誘導体（アビシア社製  ソルスパース５０００）              ０．６重量部
・分散剤（ビックケミー社製ディスパービック１６１）              ２．４重量部
・モノマー（サートマー社製  ＳＲ３９９）                        ４．０重量部
・ポリマーＩ                                                    ５．０重量部
・開始剤（チバ・スペシャリティ・ケミカルズ社製  イルガキュア９０７）
１．４重量部
・開始剤（２，２´−ビス（ｏ−クロロフェニル）−４，５，４´，５´−テトラフェニル−１，２´−ビイミダゾール）                                  ０．６重量部
・溶剤（プロピレングリコールモノメチルエーテルアセテート）    ８０．０重量部
【０１１８】
＜緑色着色部用のネガ型感光性樹脂組成物＞
・緑顔料（アビシア社製  モナストラルグリーン９Ｙ−Ｃ）          ４．２重量部
・黄顔料（ＢＡＳＦ社製  パリオトールイエローＤ１８１９）        １．８重量部
・分散剤（ビックケミー社製ディスパービック１６１）              ３．０重量部
・モノマー（サートマー社製  ＳＲ３９９）                        ４．０重量部
・ポリマーＩ                                                    ５．０重量部
・開始剤（チバ・スペシャリティ・ケミカルズ社製  イルガキュア９０７）
１．４重量部
・開始剤（２，２´−ビス（ｏ−クロロフェニル）−４，５，４´，５´−テトラフェニル−１，２´−ビイミダゾール）                                  ０．６重量部
・溶剤（プロピレングリコールモノメチルエーテルアセテート）    ８０．０重量部
【０１１９】
なお、上記のポリマーＩは、ベンジルメタクリレート：スチレン：アクリル酸：２−ヒドロキシエチルメタクリレート＝１５．６：３７．０：３０．５：１６．９（モル比）の共重合体１００モル％に対して、２−メタクリロイルオキシエチルイソシアネートを１６．９モル％付加したものであり、重量平均分子量は４２５００である。
ここで、上記重量平均分子量は、ゲル・パーミエーション・クロマトグラフィー（ＧＰＣ）により、標準ポリスチレン換算値として求めたものである。
【０１２０】
次いで、上記透明基板上に遮光部を覆うように赤色着色部用のネガ型感光性樹脂組成物をスピンコート法により塗布し、赤色着色部用のフォトマスクを介して、露光、現像して、赤色着色部を形成した。この際、開口部の所定の位置に縦ストライプ線幅１４５μｍとなるストライプ状の赤色着色部を形成した。また、表示領域外の額縁遮光部の所定位置に直径５０μｍのドット状の赤色着色部を同時に形成し、さらに表示領域外の外周遮光部の所定の位置に直径１５０μｍのドット状の赤色着色部も同時に形成した。
【０１２１】
次いで、上記透明基板上に遮光部を覆うように青色着色部用のネガ型感光性樹脂組成物をスピンコート法により塗布し、青色着色部用のフォトマスクを介して、露光、現像して、青色着色部を形成した。この際、開口部の所定の位置に縦ストライプ線幅１４５μｍとなるストライプ状の青色着色部を形成した。また、赤色着色部が形成された開口部に挟まれる領域の遮光部上に直径６０μｍとなるドット状の青色着色部を同時に形成した。
【０１２２】
次いで、上記透明基板上に遮光部を覆うように緑色着色部用のネガ型感光性樹脂組成物をスピンコート法により塗布し、緑色着色部用のフォトマスクを介して、露光、現像して、緑色着色部を形成した。この際、開口部の所定の位置に縦ストライプ線幅１４５μｍとなるストライプ状の緑色着色部を形成した。また、赤色着色部が形成された開口部に挟まれる領域の遮光部上に、上記ドット状の青色着色部と重なるように、直径２５μｍとなるドット状の緑色着色部を同時に形成した。また、表示領域外の額縁遮光部の所定位置に、上記ドット状の赤色着色部と重なるように、直径３０μｍのドット状の緑色着色部を同時に形成し、さらに表示領域外の外周遮光部の所定位置に、上記ドット状の赤色着色部と重なるように、直径１００μｍのドット状の緑色着色部も同時に形成した。
【０１２３】
３．透明保護層の形成
次に、上記の着色層を形成したガラス基板上に、透明保護層用組成物として下記の透明保護層用組成物をスピンコート法により塗布した。
【０１２４】
＜透明保護層用組成物の組成＞
・メタクリル酸メチル−スチレン−アクリル酸共重合体            ３２重量部
・エピコート１８０Ｓ７０（ジャパンエポキシレジン（株）製）    １８重量部
・ジペンタエリスリトールペンタアクリレート                    ４２重量部
・開始剤（チバスペシャリティケミカルズ社製イルガキュア９０７）  ８重量部
・３−メトキシブチルアセテート（メトアセと記す）            ３００重量部
【０１２５】
次に、１×１０-2Ｔｏｒｒ程度の真空度で減圧乾燥した後、９０℃でプリベークした。その後、透明保護層用組成物の塗布膜から１００μｍの距離にフォトマスクを配置して、プロキシミティアライナにより２．０ｋＷの超高圧水銀ランプを用い、遮光部を含めて着色層の形成領域に相当する領域を紫外線で１０秒間照射した。次いで、０．０５％水酸化カリウム水溶液（液温２３℃）中に１分間浸漬してアルカリ現像し、塗布膜の未硬化部分のみを除去して透明保護層を形成し、カラーフィルタを作製した。
【０１２６】
４．液晶表示装置の作製
上記カラーフィルタ基板上にポリイミド系配向膜を形成して、ラビング処理を施した。また、薄膜トランジスタ素子を備え、透明電極が形成された対向基板を作製し、同様に対向基板上にポリイミド系配向膜を形成して、ラビング処理を施した。配向膜を設けたカラーフィルタ基板および対向基板をシール材を用いて貼り合わせた後に、シール部に設けられた注入口から液晶を注入した。液晶の注入は、空セルを減圧下に放置後、注入口を液晶槽に浸漬し、常圧に戻すことにより行なった。液晶の注入後、注入口を封止し、さらに偏光板をカラーフィルタ基板および対向基板の外側に貼付することにより、液晶表示装置を作製した。
【０１２７】
［実施例２］
下記に示すように、着色層および積層柱を形成した以外は、実施例１と同様にして、カラーフィルタおよび液晶表示装置を作製した。
【０１２８】
基板上に遮光部を覆うように赤色着色部用のネガ型感光性樹脂組成物をスピンコート法により塗布し、赤色着色部用のフォトマスクを介して、露光、現像して、赤色着色部を形成した。この際、開口部の所定の位置に縦ストライプ線幅１４５μｍとなるストライプ状の赤色着色部を形成した。また、青色着色部が形成される開口部に挟まれる領域の遮光部上に直径６０μｍとなるドット状の赤色着色部を同時に形成した。
【０１２９】
次いで、上記透明基板上に遮光部を覆うように青色着色部用のネガ型感光性樹脂組成物をスピンコート法により塗布し、青色着色部用のフォトマスクを介して、露光、現像して、青色着色部を形成した。この際、開口部の所定の位置に縦ストライプ線幅１４５μｍとなるストライプ状の青色着色部を形成した。また、表示領域外の額縁遮光部の所定位置に直径５０μｍのドット状の青色着色部を同時に形成し、さらに表示領域外の外周遮光部の所定の位置に直径１５０μｍのドット状の青色着色部も同時に形成した。
【０１３０】
次いで、上記透明基板上に遮光部を覆うように緑色着色部用のネガ型感光性樹脂組成物をスピンコート法により塗布し、緑色着色部用のフォトマスクを介して、露光、現像して、緑色着色部を形成した。この際、開口部の所定の位置に縦ストライプ線幅１４５μｍとなるストライプ状の緑色着色部を形成した。また、赤色着色部が形成された開口部に挟まれる領域の遮光部上に、ドット状の赤色着色部と重なるように、直径２５μｍとなるドット状の緑色着色部を同時に形成した。また、表示領域外額縁部の所定位置に直径３０μｍのドット状の緑色着色部を同時に形成し、さらに表示領域外の外周遮光部の所定の位置に直径１００μｍのドット状の緑色着色部を同時に形成した。
【０１３１】
［比較例１］
下記に示すように、着色層および積層柱を形成した以外は、実施例１と同様にして、カラーフィルタおよび液晶表示装置を作製した。
【０１３２】
基板上に遮光部を覆うように赤色着色部用のネガ型感光性樹脂組成物をスピンコート法により塗布し、赤色着色部用のフォトマスクを介して、露光、現像して、赤色着色部を形成し第１着色層とした。この際、開口部所定の位置に縦ストライプ線幅１４５μｍとなるストライプ状の赤色着色部を形成した。また、表示領域外の額縁遮光部の所定位置に直径３０μｍのドット状の赤色着色部を同時に形成し、さらに表示領域外の外周遮光部の所定の位置に直径３０μｍのドット状の赤色着色部も同時に形成した。
【０１３３】
次いで、上記透明基板上に遮光部を覆うように青色着色部用のネガ型感光性樹脂組成物をスピンコート法により塗布し、青色着色部用のフォトマスクを介して、露光、現像して、青色着色部を形成した。この際、開口部所定の位置に縦ストライプ線幅１４５μｍとなるストライプ状の青色着色部を形成した。また、赤色着色部が形成された開口部に挟まれる領域の遮光部上に、直径３０μｍとなるドット状の青色着色部を同時に形成した。さらに、表示領域外の額縁遮光部の所定位置および表示領域外の外周遮光部の所定位置に、ドット状の赤色着色部と重なるように、直径２５μｍのドット状の青色着色部も同時に形成した。
【０１３４】
次いで、上記透明基板上に遮光部を覆うように緑色着色部用のネガ型感光性樹脂組成物をスピンコート法により塗布し、緑色着色部用のフォトマスクを介して、露光、現像して、緑色着色部を形成した。この際、開口部所定の位置に縦ストライプ線幅１４５μｍとなるストライプ状の緑色着色部を形成した。また、赤色着色部が形成された開口部に挟まれる領域の遮光部上に、ドット状の青色着色部と重なるように、直径２５μｍとなるドット状の緑色着色部を同時に形成した。さらに、表示領域外の額縁遮光部の所定位置および表示領域外の外周遮光部の所定位置に、ドット状の青色着色部と重なるように、直径２０μｍのドット状の緑色着色部も同時に形成した。
【０１３５】
［比較例２］
透明基板として、大きさが３００ｍｍ×４００ｍｍ、厚みが０．７ｍｍのガラス基板（コーニング社製１７３７ガラス）を準備した。この透明基板を定法にしたがって洗浄した後、ネガ型感光性ブラックレジスト（東京応化工業（株）製  ＣＦＰＲ ＤＮ−８３）を塗布し、所定のマスクを介して露光、現像、熱処理して縦ストライプ線幅１０μｍ、縦ストライプピッチ１５０μｍ、横ストライプ線幅７５μｍ、横ストライプピッチ４５０μｍとなる格子状の遮光部パターンを形成した。これにより、短辺が１４０μｍで、長辺が３７５μｍの開口部が、短辺方向に１０μｍ間隔で、長辺方向に７５μｍ間隔で形成された。また、長辺方向に隣接する開口部に挟まれる領域は、開口部の長辺方向の長さが７５μｍで、開口部の短辺方向の長さが１４０μｍの長方形状の領域となった。また、表示領域外の外周部の所定位置に直径２０μｍとなるドット状の遮光部を同時に形成した。
【０１３６】
上記基板上に遮光部を覆うように赤色着色部用のネガ型感光性樹脂組成物をスピンコート法により塗布し、赤色着色部用のフォトマスクを介して、露光、現像して、赤色着色部を形成した。この際、開口部所定の位置に縦ストライプ線幅１４５μｍとなるストライプ状の赤色着色部を形成した。また、表示領域外の額縁遮光部および外周遮光部の所定位置に直径３０μｍのドット状の赤色着色部を同時に形成した。
【０１３７】
次いで、上記透明基板上に遮光部を覆うように青色着色部用のネガ型感光性樹脂組成物をスピンコート法により塗布し、青色着色部用のフォトマスクを介して、露光、現像して、青色着色部を形成した。この際、開口部所定の位置に縦ストライプ線幅１４５μｍとなるストライプ状の青色着色部を形成した。また、赤色着色部が形成された開口部に挟まれる領域の遮光部上に直径３０μｍとなるドット状の青色着色部を同時に形成した。さらに、表示領域外の額縁遮光部および外周遮光部の所定位置に、ドット状の赤色着色部と重なるように、直径２５μｍのドット状の青色着色部を同時に形成した。
【０１３８】
次いで、上記透明基板上に遮光部を覆うように緑色着色部用のネガ型感光性樹脂組成物をスピンコート法により塗布し、緑色着色部用のフォトマスクを介して、露光、現像して、緑色着色部を形成した。この際、開口部所定の位置に縦ストライプ線幅１４５μｍとなるストライプ状の緑色着色部を形成した。また、赤色着色部が形成された開口部に挟まれる領域の遮光部上に、ドット状の青色着色部と重なるように、直径２５μｍとなるドット状の緑色着色部を同時に形成した。さらに、表示領域外額縁部上と外周部の所定位置に、ドット状の青色着色部と重なるように、直径２０μｍのドット状の緑色着色部を同時に形成した。
【０１３９】
上記以外は実施例１と同様にカラーフィルタおよび液晶表示装置を作製した。
【０１４０】
［評価］
１．カラーフィルタの測定
上記により作製したカラーフィルタについて、積層柱が形成されている部位のスペーサ高さ、および、積層柱が形成されている部位の透明保護層の上底面積を測定した。その結果を表１および表２に示す。実施例１，２では所望のスペーサ高さと上底面積を有するカラーフィルタを得ることができた。
【０１４１】
【表１】
0005453724.tif 000002
【０１４２】
【表２】
0005453724.tif 000003
【０１４３】
２．液晶表示装置の評価（セルギャップ均一性）
上記により作製した液晶表示装置について、大塚電子製  RETS−２０００によりセルギャップを測定し、表示領域内の中央部と端部のセルギャップの差が０．１μｍ未満を○、０．１μｍ以上を×とした。結果を表３に示す。実施例１，２ではセルギャップが均一で表示ムラのない液晶表示装置を得ることができた。
【０１４４】
【表３】
0005453724.tif 000004
【図面の簡単な説明】
【０１４５】
【図１】本発明の横電界液晶駆動方式用カラーフィルタの一例を示す概略平面図である。
【図２】図１におけるＡ−Ａ線断面図である。
【図３】図１におけるＢ−Ｂ線断面図である。
【図４】本発明の横電界液晶駆動方式用カラーフィルタの他の例を示す概略平面図である。
【図５】図４におけるＣ−Ｃ線断面図である。
【図６】図４におけるＤ−Ｄ線断面図である。
【図７】図４におけるＥ−Ｅ線断面図である。
【図８】本発明の横電界液晶駆動方式用カラーフィルタの他の例を示す概略断面図である。
【図９】本発明の横電界液晶駆動方式用カラーフィルタの他の例を示す概略断面図である。
【図１０】本発明の横電界液晶駆動方式用カラーフィルタの他の例を示す概略断面図である。
【図１１】本発明の横電界液晶駆動方式用カラーフィルタの他の例を示す概略断面図である。
【図１２】本発明の横電界液晶駆動方式用カラーフィルタの他の例を示す概略平面図である。
【図１３】図１２におけるＦ−Ｆ線断面図である。
【図１４】本発明における開口部を説明する説明図である。
【図１５】本発明の横電界液晶駆動方式用カラーフィルタの製造方法の一例を示す工程図である。
【図１６】従来のカラーフィルタの一例を示す概略平面図である。
【図１７】従来のカラーフィルタの製造方法の一例を示す工程図である。
【符号の説明】
【０１４６】
１  …  横電界液晶駆動方式用カラーフィルタ
２  …  基板
３ａ  …  画素間遮光部
３ｂ  …  額縁遮光部
３ｃ  …  外周遮光部
４Ｒ  …  赤色画素部着色部
４Ｇ  …  緑色画素部着色部
４Ｂ  …  青色画素部着色部
５Ｒ  …  赤色非画素部着色部
５Ｇ  …  緑色非画素部着色部
５Ｂ  …  青色非画素部着色部
６  …  表示領域内積層柱
７，７ａ，７ｂ  …  表示領域外積層柱
１０  …  表示領域
１２  …  開口部
１３  …  積層柱形成領域
１４  …  隣接領域
ｍ  …  開口部の長辺方向
ｎ  …  開口部の短辺方向
【図１】
0005453724.tif 000005
【図２】
0005453724.tif 000006
【図３】
0005453724.tif 000007
【図４】
0005453724.tif 000008
【図５】
0005453724.tif 000009
【図６】
0005453724.tif 000010
【図７】
0005453724.tif 000011
【図８】
0005453724.tif 000012
【図９】
0005453724.tif 000013
【図１０】
0005453724.tif 000014
【図１１】
0005453724.tif 000015
【図１２】
0005453724.tif 000016
【図１３】
0005453724.tif 000017
【図１４】
0005453724.tif 000018
【図１５】
0005453724.tif 000019
【図１６】
0005453724.tif 000020
【図１７】
0005453724.tif 000021